(57)【要約】【課題】吊持用貫通孔に支持具の基端部を挿通する組み付けが楽に行なえるとともに、吊持用貫通孔に挿入された支持具の基端部を確りと保持して、はずれにくくした吸盤を提供できるようにする。【解決手段】緩やかな漏斗状の吸着面を有する吸着部と、吸着部の外面中央部分に一体形成された連結用突起とを備え、連結用突起には吊持用貫通孔が形成されており、この吊持用貫孔に挿通された吊持具部分のずれ止め用キャップを連結用突起に嵌合させた。【選択図】    図４
2004176882.tif 000002
【特許請求の範囲】
【請求項１】
緩やかな漏斗状の吸着面を有する吸着部と、吸着部の外面中央部分に一体形成された連結用突起とを備え、連結用突起には吊持用貫通孔が形成されており、この吊持用貫孔に挿通された吊持具部分のずれ止め用キャップを連結用突起に嵌合させてなる吸盤。
【請求項２】
ずれ止め用キャップが連結用突起に嵌着されたときに、吊持用貫通孔を押圧して変形させるように連結用突起の収納用空間を形成したことを特徴とする請求項１に記載の吸盤。
【発明の詳細な説明】
【０００１】
【発明の属する技術分野】
本発明はフック等を壁面に取り付けるのに使用する吸盤に関するものである。
【０００２】
【従来の技術】
この種の吸盤としては一般に緩やかな漏斗状に形成された吸着部の外面中央部に、吊持用貫通孔を貫設した突起を形成して構成し、この突起の吊持用貫通孔に支持具（吊持具）の基端部を挿通して枢支するようにしてある（例えば、特許文献１参照）。
【０００３】
【特許文献１】
特開平８−２２８９０７号公報
【０００４】
【発明が解決しようとする課題】
上記従来の吸盤では、吊持用貫通孔に支持具の基端部を挿通する組み付けの作業性を向上させようとすると、吊持用貫通孔と支持具の基端部との挿通を緩くすることが考えられるが、こうした場合、挿通が楽になる反面、吊持用貫通孔に挿入された支持具の基端部の支持力が弱くなり、回転しやすくなったり、はずれ易くなるという相反する問題があった。
本発明は上記問題点に鑑み提案されたもので、吊持用貫通孔に支持具の基端部を挿通する組み付けが楽に行なえるとともに、吊持用貫通孔に挿入された支持具の基端部を確りと保持して、はずれにくくした吸盤を提供できるようにすることを目的とするものである。
【０００５】
【課題を解決するための手段】
上記目的を達成するために本発明にかかる吸盤は、先ず、緩やかな漏斗状の吸着面を有する吸着部と、吸着部の外面中央部分に一体形成された連結用突起とを備え、連結用突起には吊持用貫通孔が形成されており、この吊持用貫孔に挿通された吊持具部分のずれ止め用キャップを連結用突起に嵌合させたことを特徴とするものである。
【０００６】
次に、本発明にかかる吸盤は、ずれ止め用キャップが連結用突起に嵌着されたときに、吊持用貫通孔を押圧して変形させるように連結用突起の収納用空間を形成したことも特徴の一つである。
【０００７】
以下、本発明にかかる吸盤の好ましい実施の形態を図面に基づいて説明する。
図１は分解された吸盤と、吸盤に取り付けられる歯ブラシホルダ（支持具）を示し、図中符号１は吸盤を示し、符号２は歯ブラシホルダを全体的に示す。
吸盤１は本体部分３と後述する連結用突起７に嵌着されるずれ止め用キャップ４とからなり、本体部分３は着色された軟質合成樹脂により緩やかな漏斗状の吸着面５を有する真空吸着部６と、真空吸着部６の外面中央部分に短寸円柱状の連結用突起７を一体成形してある。
【０００８】
そして、連結用突起７には吊持用貫通孔８が形成され、真空吸着部６の周縁近傍の一箇所には吸着させた真空吸着部６の吸着面５に外気を流入させて吸盤１の吸着を解除するための摘み９が形成されている。
連結用突起７に外嵌される上記ずれ止め用キャップ４は、透明の合成樹脂で略球形に形成されるとともに、内部には連結用突起７を収納する収納用空間１０が形成されている。
この収納用空間１０はその入口開口部分の径Ｄ１は連結用突起７の径Ｄ２に略等しいか僅かに小径になるように形成されている。
【０００９】
この収納用空間１０の入口開口部分の径Ｄ１を上記のように連結用突起７の径Ｄ２より僅かに小径にした場合でも、ずれ止め用キャップ４の中央部分の収納用空間部分１０は略球形に形成されるずれ止め用キャップ４の成形後の熱収縮により、図５に示すように連結用突起７に等しくなるように広がり、この部分でもずれ止め用キャップ４が連結用突起７から抜け外れるのが防止される。
また、ずれ止め用キャップ４の両側には連結用突起７の吊持用貫通孔８の径と略同じ幅を有するスリット１１が収納用空間１０に連通する状態で形成されており、スリット１１の内面部分には抜け止め突起１２が形成されている。
【００１０】
一方、吸盤１に装着される上記歯ブラシホルダ２は、弾性を有する合成樹脂で環状支持部１３と、環状支持部１３から左右に突出させたブラシホルダ１４と、吊持用連結孔８に嵌合される嵌着部１５とを一体成形してあり、環状支持部１３は、その内径Ｄ３は球状のずれ止め用キャップ４の外径と略等しくしてある。
上記ブラシホルダ１４は環状支持部１３の両側方に突出したブラケット１４ａとブラケット１４ａの先端部分に歯ブラシの柄（図示せず）を保持する保持部１４ｂとを一体に形成して構成されている。
吊持用連結孔８に嵌合される嵌着部１５は、環状支持部１３の内周面から中心に向けて円柱に突出形成したもので、その対面する端部間は連結用突起７径よりも狭い隙間αが形成されている。
【００１１】
上記のように形成された吸盤１に歯ブラシホルダ２を組み付ける手順を次に説明する。
先ず、図１に示すように吸盤１の本体部分３の連結用突起７からずれ止め用キャップ４を外した状態にし、歯ブラシホルダ２の環状支持部１３を変形させて嵌着部１５の先端部を前後にずらした状態にし、図２に示すように一方の嵌着部１５を連結用突起７の吊持用連結孔８に挿入する。
次に、他方の嵌着部１５を連結用突起７の吊持用連結孔８に挿入した後、図３に示すようにずれ止め用キャップ４をそのスリット１１が嵌着部１５に対面するように位置合わせした状態にして連結用突起７に押し込んで嵌着すると図４に示すように歯ブラシホルダ２が吸盤１に取り付けられる。
【００１２】
こうして吸盤１に取り付けられたブラシホルダ２は、ずれ止め用キャップ４が連結用突起７に押し込んで嵌着されると、図６に示すように、このずれ止め用キャップ４で歯ブラシホルダ２の環状支持部１３が図上左右にずれ動くのが防止される。これにより、嵌着部１５が吊持用連結孔８から不用意に抜け外れるのが防止される。
また、連結用突起７に嵌着されたずれ止め用キャップ４は、スリット１１の内面部分に設けられた抜け止め突起１２が嵌着部１５に掛合し、ずれ止め用キャップ４が連結用突起７から抜け外れるのが防止される。
【００１３】
尚、上記実施の形態では、収納用空間１０の入口開口部分の径Ｄ１を連結用突起７の径Ｄ２より僅かに小径にしてあるが、更に小径にすると、ずれ止め用キャップ４を連結用突起７に装着した時に、吊持用貫通孔８が縮径方向に変形されるので、此処に挿通した嵌着部１５が確りと保持されることになる。
また、上記実施の実施の形態では、連結用突起７の吊持用連結孔８の両側から嵌着部１５を挿入するようにした歯ブラシホルダ２を例に説明してあるが、こうしたものに限られず、嵌着部１５を吊持用連結孔８の片方から挿入する形式のものは勿論のこと、従来、一般的に用いられている吸盤の全てに本発明を実施することができるのは勿論のことである。
【００１４】
【発明の効果】
本発明は以上に説明したように、緩やかな漏斗状の吸着面を有する吸着部の外面中央部分に吊持用貫通孔を形成した連結用突起を有し、この吊持用貫通孔に挿通された吊持具部分を連結用突起に嵌合させたずれ止め用キャップで固定するようにしてあるので、吊持用貫通孔に吊持具部分を装着する時に緩やかに挿通できるようにしたものでも、ずれ止め用キャップがずれ動くのを止め、抜け落ちを防止できる。
これにより、吊持用貫通孔に支持具の基端部を挿通する組み付けが楽に行なえるとともに、吊持用貫通孔に挿入された支持具の基端部を確りと保持して、はずれにくくするという相反する問題を一挙に解決できる利点がある。
【００１５】
また、ずれ止め用キャップが連結用突起に嵌着されたときに、吊持用貫通孔を押圧して変形させるように連結用突起の収納用空間を形成したものでは、上記の効果に加えて、連結用突起の吊持用貫通孔に嵌着されたずれ止め用キャップの抜け止め効果があるとともに、吊持用貫通孔に挿入された支持具の基端部のがたつきをなくし、吊持用貫通孔に挿通された支持具の基端部を滑らかに回動させることができる利点がある。
【図面の簡単な説明】
【図１】は本発明にかかる吸盤と、吸盤に取り付けられる歯ブラシホルダ（支持具）の分解斜視図である。
【図２】は本発明にかかる吸盤に歯ブラシホルダを取り付ける手順を示す斜視図である。
【図３】は本発明にかかる吸盤に歯ブラシホルダを取り付ける手順を示す斜視図である。
【図４】は本発明にかかる吸盤に歯ブラシホルダの取り付けが完了した状態の斜視図である。
【図５】は本発明にかかる吸盤に歯ブラシホルダの取り付けが完了した状態の横断平面図である。
【図６】は本発明にかかる吸盤に歯ブラシホルダの取り付けが完了した状態の縦断側面図である。
【符号の説明】
１・・・緩やかな漏斗状の５吸着面を有する６吸着部と、吸着部の外面中央部分２・・・吊持具
４・・・ずれ止め用キャップ
７・・・連結用突起
８・・・吊持用貫通孔
１０・・・収納用空間
【図１】
2004176882.tif 000003
【図２】
2004176882.tif 000004
【図３】
2004176882.tif 000005
【図４】
2004176882.tif 000006
【図５】
2004176882.tif 000007
【図６】
2004176882.tif 000008